(57)【要約】【課題】エレベータドア内部に照光手段を設けてエレベータドアに設けた透光部を発光させるようにすることで、エレベータ装置全体の構成を大きく変えることなく簡易な構成のまま確実にエレベータ利用者への情報提供を図ることのできるエレベータ表示装置を提供することができる。【解決手段】光を透過させる透光部１１が形成されたエレベータドア１０と、エレベータドア１０内部に設けられ、透光部１１を通して内部から外部へ向けて透過させる光を発生させる照光手段１３と、照光手段１３による照光を制御する制御手段６とを備える。【選択図】図１
2009096584.tif 000002
【特許請求の範囲】
【請求項１】
光を透過させる透光部が形成されたエレベータドアと、
前記エレベータドア内部に設けられ、前記透光部を通して内部から外部へ向けて透過させる光を発生させる照光手段と、
前記照光手段による照光を制御する制御手段と、
を備えることを特徴とするエレベータ表示装置。
【請求項２】
前記照光手段は、前記透光部の背面に設けられる面発光体であることを特徴とする請求項１に記載のエレベータ表示装置。
【請求項３】
前記照光手段は、光源と前記光源からの光を前記透光部を介して前記エレベータドア外部へと導く導光板とを備えていることを特徴とする請求項１に記載のエレベータ表示装置。
【請求項４】
前記光源は、単数または複数ずつまとめてユニットとされており、前記ユニット単位で前記光源を変更することが可能とされていることを特徴とする請求項１ないし請求項３のいずれかに記載のエレベータ表示装置。
【請求項５】
前記制御手段は、昇降路内の乗りかごの昇降に連動して前記照光手段の照光を制御することを特徴とする請求項１ないし請求項４のいずれかに記載のエレベータ表示装置。
【請求項６】
前記制御手段は、各階床に設けられている前記乗りかごを呼ぶ呼びボタンからの指示に基づいて前記乗りかごの到着予約表示又は到着予報表示を行うように前記照光手段の照光を制御することを特徴とする請求項１ないし請求項５のいずれかに記載のエレベータ表示装置。
【請求項７】
前記制御手段は、前記乗りかごの昇降方向を前記照光手段による照光領域の変化によって表示するように前記照光手段の照光を制御することを特徴とする請求項１ないし請求項６のいずれかに記載のエレベータ表示装置。
【請求項８】
前記制御手段は、前記透光部の任意の領域を照光するように前記照光手段の照光を制御することを特徴とする請求項１ないし請求項７のいずれかに記載のエレベータ表示装置。
【請求項９】
前記制御手段による前記照光手段の制御に合わせて音声による報知手段を備えることを特徴とする請求項１ないし請求項８のいずれかに記載のエレベータ表示装置。
【請求項１０】
前記エレベータドアは、ホールドアであることを特徴とする請求項１ないし請求項９のいずれかに記載のエレベータ表示装置。
【請求項１１】
前記エレベータドアは、かごドアであることを特徴とする請求項１ないし請求項１０のいずれかに記載のエレベータ表示装置。
【発明の詳細な説明】
【技術分野】
【０００１】
本発明は、エレベータ利用者に対する情報の提供を行うエレベータ表示装置に関する。
【背景技術】
【０００２】
エレベータホールにおける利用者に対する案内表示装置としては、従来よりいわゆるホールインジケータやホールランタンが設けられている。通常、これらの案内表示装置は、ホールドアの上端の位置と略同じ高さに設置されていることが多い。そのため、そのエレベータの利用に慣れていない利用者は、案内表示装置を探すのに少し時間がかかることがあった。また、複数のエレベータが設置されている場合には、案内表示装置もエレベータごとに設置されるため、自らの視線よりも高い位置にある案内表示装置を見て自らが利用しようとするエレベータを認識することは難しいこともあった。これは特に、エレベータ利用者の進行方向左右に複数基のエレベータが設置されている場合に顕著である。
【０００３】
そのため、以下の特許文献１に開示される発明では、ホールドアの上方に上昇表示用、下降表示用それぞれの照明体を設け、ホールドアのホール側に上昇表示用照明体、下降表示用照明体それぞれからの光を反射させる上昇表示用、下降表示用光放パネルをそれぞれ設置し、エレベータの運転状態に応じて上昇表示用または下降表示用照明体を発光させるようにする。このような構成を採用することによって、利用者が容易にエレベータの到着を認識することができ、サービスの向上を図ることができる、とされる。
【０００４】
また、エレベータの乗場出入口に開閉可能に設置され、且つ端面からの入射光を前面に反射させる光放パネルを有した乗場ドアと、乗場出入口枠の裏面側に設置され乗場ドアの光放パネルの端面を照射する光源とを備え、且つ乗場ドアの光放パネルの光源からの光入射側端面に着色透明体を設けた構成を持つ発明も提案もなされている（特許文献２参照）。この特許文献２に開示された発明の構成によれば、光源からの光を光放パネルで反射させることによって乗場ドアを任意の色で発光させることが可能であり、乗場ドアにカラーディスプレーやカラーイルミネーション的な趣向を凝らすことができ、ひいては利用者の注意を引くことができる。
【特許文献１】特開平０７−４１２６１号公報
【特許文献２】特開平０５−１３２２７８号公報
【発明の開示】
【発明が解決しようとする課題】
【０００５】
しかしながら、上述したような構成を備える特許文献１や特許文献２記載の発明では、ホールドア（乗場ドア）から離れた位置に設置された光源からの光や、一方向のみからの光によって光放パネルを発光させるようにしているため、光源を発光させた際に光放パネルの全面に光が行き渡らず、利用者から見て視認性の悪いものであった。また、ホールドア（乗場ドア）とは離れた位置に光源が設置されると、ホールドア（乗場ドア）が開閉する際には光放パネルを発光させることができない。
【０００６】
また、これら光源は、例えばヘッダーケースや幕板部に設置されることが多い。この場合、例えば、ドア上部のハンガーを長くしたりホールドア（乗場ドア）の重心とはずれた位置にハンガーを設置しなければならなくなる。従って、このような構成を採用するとハンガーやホールドア（乗場ドア）のたわみ量が大きくなり故障の一要因となってしまう。
【０００７】
本発明は上記課題を解決するためになされたものであり、本発明の目的は、エレベータドア内部に照光手段を設けてエレベータドアに設けた透光部を発光させるようにすることで、エレベータ装置全体の構成を大きく変えることなく簡易な構成のまま確実にエレベータ利用者への情報提供を図ることのできるエレベータ表示装置を提供することができる。
【課題を解決するための手段】
【０００８】
本発明の実施の形態に係る特徴は、エレベータ表示装置において、光を透過させる透光部が形成されたエレベータドアと、エレベータドア内部に設けられ、透光部を通して内部から外部へ向けて透過させる光を発生させる照光手段と、照光手段による照光を制御する制御手段とを備える。
【発明の効果】
【０００９】
本発明によれば、エレベータドア内部に照光手段を設けてエレベータドアに設けた透光部を発光させるようにすることで、エレベータ装置全体の構成を大きく変えることなく簡易な構成のまま確実にエレベータ利用者への情報提供を図ることのできるエレベータ表示装置を提供することができる。
【発明を実施するための最良の形態】
【００１０】
以下、本発明の実施の形態について図面を参照して詳細に説明する。
【００１１】
（第１の実施の形態）
本発明の第１の実施の形態に係るエレベータ表示装置１について図１及び図２を利用して説明する。
【００１２】
図１は本発明の第１の実施の形態に係るエレベータ表示装置１の全体構成を示す説明図であり、エレベータ利用者がエレベータＥに相対してそのエレベータＥの正面を示した図である。正面にはエレベータドア１０があり、図示しない乗りかごが到着すると、エレベータドア１０ａ，１０ｂ（これら左右のエレベータドア１０ａ，１０ｂを合わせて適宜「エレベータドア１０」という。）が左右に開く。エレベータドア１０の左右には枠２ａ，２ｂが設けられ、上部は幕板３によって覆われている。なお、本発明の実施の形態においては、エレベータドア１０の枚数を２枚としているが、エレベータドアの枚数は、単数枚、或いは複数枚いずれであっても良い。また、図１に示すエレベータＥでは、上部が幕板３によって覆われる構造を採用しているが、例えば、構造として三方枠を採用することももちろん可能である。
【００１３】
エレベータドア１０の右側には、エレベータ利用者がエレベータを呼ぶための呼びボタン４が設けられ、その上部にはこの呼びボタン４が押されることによって呼ばれる乗りかごの方向を示すホールランタン５が設けられている。ホールランタン５は、上下２つの指示灯からなり、乗りかごが到着する直前に点灯しその乗りかごが上下いずれに昇降するかをエレベータ利用者に報知する。
【００１４】
エレベータＥ、呼びボタン４及びホールランタン５は、そのエレベータＥを含むエレベータシステム全体を制御する制御手段６と接続されており、この制御手段６の制御によって各部が駆動等する。なお、制御手段６はエレベータシステムのいずれの位置に設けられていても良いため、図１では制御手段６及び各部との接続状態を破線で示している。
【００１５】
また、後述する照光手段も制御手段６による制御を受けることになるが、エレベータシステム全体を制御する制御手段６ではなく、照光手段のみを制御する制御手段を別途設けてエレベータの運行制御からは独自に照光手段を制御するようにしても良い。
【００１６】
なお、図１では説明の便宜上１基のエレベータＥのみを表わしているが、複数基のエレベータＥが設けられエレベータシステムが構成されていても良い。この場合には、例えば、複数基のエレベータＥは制御手段６によって群管理されることになる。
【００１７】
図１では、エレベータドア１０ａ，１０ｂが左右に開く形式のエレベータＥを示しており、エレベータドア１０ａ，１０ｂにはそれぞれ透光部１１ａ，１１ｂが設けられている。この透光部１１ａ，１１ｂは、前面にはパネル１２ａ，１２ｂがはめ込まれ、エレベータドア１０ａ，１０ｂの内部であってそのパネル１２ａ，１２ｂの奥には、図１では示されていない照光手段１３ａ，１３ｂが設けられている。なお、このパネル１２ａ，１２ｂは、例えばガラス等、法令上求められる防火基準を満たし、さらに照光手段１３ａ，１３ｂが照光することによってエレベータドア１０ａ，１０ｂが光るようにされていれば、どのような素材を選択しても構わない。
【００１８】
図２は、エレベータドア１０を構成する１枚のエレベータドア１０ａを図１に示すＡ−Ａ線で切断して示した断面図である。なお、以下ではエレベータドア１０ｂも同様の構成であることからエレベータドア１０ａの説明で代表させる。
【００１９】
この断面図においては、パネル１２ａが設けられている側がエレベータホール側であり、照光手段１３ａが設けられている側が図示しない乗りかごと対向する側である。この断面図に示されるように、エレベータドア１０ａの内部にエレベータドア１０ａの内部から外部、すなわちエレベータ利用者が視認できる方向（図２に表わされた矢印の方向）に向かって光が透過するように、照光手段１３ａが設けられている。
【００２０】
また、照光手段１３ａの前面（エレベータホール側の面）には、エレベータドア１０ａにパネル１２ａがはめ込まれる。これは、照光手段１３ａが発光すると熱を持つことからエレベータ利用者の安全に考慮するとともに、エレベータＥの防火区画としての役割を果たすためである。
【００２１】
パネル１２ａ及び照光手段１３ａは、エレベータドア１０ａの内側にメンテナンス等も考慮してネジ止めされている。また、この照光手段１３ａに対しては図示しない可動部用ケーブルによって電源が供給され、制御手段６からの信号線が接続されている。このような可動部用ケーブルを使用することで、エレベータドアの開閉に拘わらずエレベータドアを照らすことができ、上述したようなエレベータドアが開くに伴ってエレベータドアが段々暗くなってしまう弊害を避けることができる。
【００２２】
照光手段１３ａは、発光し、パネル１２ａを介してエレベータドア１０ａの外部に光が届くものであれば、光源としてどのようなものを使用しても構わない。例えば、白熱灯のようなランプやＬＥＤ（Light Emitting Diode）の採用が考えられる。
【００２３】
透光部１１は、図１に示すエレベータＥではエレベータドア１０の略全面にわたって設けられているが、エレベータドア１０のどの領域にどの大きさで透光部１１を設けるかは任意である。
【００２４】
また、図３や図４に示すように、乗りかごの昇降方向を示すように三角形の頂点が同一方向を向くように設け、これらを透光部１１としてもよい。図３では、例えば、エレベータドア１０ａにその頂点が下向きとなるように、エレベータドア１０ｂはその頂点が上向きとなるように透光部１１ａ，１１ｂをそれぞれ設けている。
【００２５】
一方、図４では、エレベータドア１０ａ，１０ｂの上部半分に透光部１１としての三角形の頂点を上向きにして配置し、エレベータドア１０ａ，１０ｂの下部半分に三角形の頂点を下向きにして配置することによって、乗りかごの昇降方向を示すようにしている。
【００２６】
制御手段６は、各階床での呼び等に基づいて乗りかごの運行の制御を行う。また、この乗りかごの昇降に合わせてエレベータドア１０内部に設けられた照光手段１３の制御も行う。すなわち、エレベータ利用者が呼びボタン４を押して乗場呼びを行うと、この乗場呼びに対して呼びを割り付けしたエレベータの照光手段１３が発光する。照光手段１３から出射した光は、パネル１２を介してエレベータドア１０の外部まで届き、エレベータホールにいるエレベータ利用者にどのエレベータが来るのかを報知する（サービスするエレベータをエレベータ利用者に認識させる（到着予約表示））。また、エレベータの当該階床への到着が近づくと、例えば、照光手段１３が点滅しエレベータ到着の予報表示を行う。
【００２７】
なお、上述したように、エレベータの運行制御とは関係なく照光手段１３を制御することも可能である。エレベータの運行制御から離れて独自に制御することができれば、例えば、エレベータドアをディスプレイ装置やイルミネーション装置として利用することも可能である。
【００２８】
制御手段６の制御によって照光手段１３はその一部を照光させることも可能である。すなわち、照光手段１３の照光領域を細かく制御することによって、例えば、図１に示すようなエレベータドア１０の略全面にわたって透光部１１が設けられている場合であっても乗りかごの昇降方向や様々な情報をエレベータ利用者に提供することができる。
【００２９】
すなわち、図３或いは図４に示すような乗りかごの昇降方向を示す透光部１１である場合には、例えば、乗りかごが昇降路内を昇ってその階床に到着する場合に、エレベータドア１０の下部から上部に向けて照光手段１３の照光領域を移動させて順次照光手段１３を点灯させていくことによって、エレベータのサービス方向をエレベータ利用者に認識させる案内（方向表示）等、視覚的に非常にわかりやすい情報をエレベータ利用者に提供することができる。照光手段が到着予約表示、到着予報表示またはエレベータのサービス方向を示すように制御される場合には、ホールランタンの代わりを果たすことになるため、ホールランタンは（あっても良いが）別途設けなくても足りる。
【００３０】
このようにエレベータドア内部に照光手段を設けてエレベータドアに設けた透光部を発光させるようにすることで、エレベータ装置全体の構成を大きく変えることなく簡易な構成のまま確実にエレベータ利用者への情報提供を図ることのできるエレベータ表示装置を提供することができる。
【００３１】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【００３２】
図５は、第２の実施の形態に係るエレベータドア３０を含むエレベータ表示装置２０の構成を示す説明図である。第２の実施の形態においてはエレベータドア３０の構成が上述した第１の実施の形態におけるエレベータドア１０と相違する。なお、その他の構成要素については同一であるので説明を省略する。
【００３３】
図６はエレベータドア３０を構成する１枚のエレベータドア３０ａを図５に示すＢ−Ｂ線で切断した断面を示す断面図である（エレベータドア３０ｂも同様の構成であることからエレベータドア３０ａの説明で代表させる）。この断面図においては、パネル１２ａが設けられている側がエレベータホール側であり、照光手段３３ａが設けられている側が図示しない乗りかごと対向する側である。
【００３４】
エレベータドア３０では、照光手段３３ａは、光源３４ａ及び導光板３５ａからなる。光源３４ａは図５及び図６に示すように透光部３１の側面に設けられている。また、パネル１２ａに対向する位置には、光源３４ａからの光をエレベータドア３０ａの外部に出射させるための導光板３５ａが設けられている。
【００３５】
第１の実施の形態では、照光手段１３はパネル１２に対向する位置に、透光部１１の領域を埋めるようにその領域全面に設けられていた。但し、この構成を採用すると、光源としての照光手段１３を透光部１１の領域の全てに設けなければならず、エレベータドア１０の構成や消費電力等の観点から適切ではない場合も生じ得る。そこで、第２の実施の形態における照光手段３３では導光板３５を用いることによって光源３４の量を減らすことができ、エレベータ利用者へのサービスの向上を損なうことなくエレベータＥの少電力化を図ることが可能となる。
【００３６】
なお、第２の実施の形態における照光手段３３の光源３４の設置位置は、図５及び図６に示すように透光部３１の側面であるが、この光源３４の設置位置は、透光部３１の上下左右いずれの側面であっても良い。従って、導光板３５との組合せを考慮すれば光源３４の設置位置の自由度が高まることから、エレベータドア３０の設計の自由度も高くなる。
【００３７】
また、図７はエレベータドア３０ａを図５に示すＢ−Ｂ線で切断した断面を図６とは異なり簡略化して示す断面図である。さらに、上述したようにエレベータドア３０ｂも同様の構成であることからエレベータドア３０ａの説明で代表させる。
【００３８】
図７に示す照光手段３３ａでは、光源３４ａとしてランプが使用されている。ランプが光源３４ａとなる場合、ＬＥＤの場合よりも球切れが発生する頻度が高くなる。そのため、照光手段３３ａの役割からすると球切れからあまり時間を置かずに交換されることが望ましい。そこで、光源３４ａを光源ユニット３６ａに取り付けて球切れの場合の交換の迅速化を図っている。
【００３９】
すなわち、光源ユニット３６ａは、光源３４ａを固定する基板３７ａと、光源３４ａからの光が導光板３５ａの所定の位置から入るように基板３７ａの位置を固定するネジ等の係止手段３８ａ、及び蝶番３９ａから構成される。光源３４ａを交換する際には、図７において破線で示すように、係止手段３８ａを外して蝶番３９ａを基点として光源３４ａごと基板３７ａを回転させる。このような構成とすることで、球切れとなった光源３４ａを簡易、迅速に交換することが可能となる。なお、この光源ユニット３６ａは、光源３４ａごとに設けられても、或いは、複数の光源３４ａをまとめるように設けられていても良い。
【００４０】
このようにエレベータドア内部に照光手段を設けてエレベータドアに設けた透光部を発光させるようにすることで、エレベータ装置全体の構成を大きく変えることなく簡易な構成のまま確実にエレベータ利用者への情報提供を図ることのできるエレベータ表示装置を提供することができる。
【００４１】
また、光源３４ａの交換にまで配慮した構成をも採用することで、球切れとなっている時間をできうる限り短くすることができ、結果としてエレベータ利用者への情報提供をとぎれさせる時間を短縮することができるので、サービスの向上を図ることができる。
【００４２】
なお、この発明は、上記実施の形態そのままに限定されるものではなく、実施段階ではその要旨を逸脱しない範囲で構成要素を変形して具体化できる。例えば、上述した各実施の形態では照光手段をエレベータドア、なかんずくホールドアの内部に設けた例を挙げて説明をしたが、この照光手段をかごドアの内部に設けても上述した効果と同様の効果を得ることができる。
【００４３】
また、照光手段として、有機ＥＬ（Electro Luminescence）や液晶ディスプレイ等を用いることも考えられる。有機ＥＬ等を用いることによって、エレベータ利用者に対してエレベータの運行状況等を報知するだけではなく、透光部を利用して様々な情報も併せて提供することができる。例えば、エレベータホールに面するホールドアの透光部には上述したようなランプやＬＥＤを用いてエレベータの運行状況を報知し、かごドアには有機ＥＬ等を照光手段として用い、エレベータの運行状況だけではなく天気やニュース等の各種情報をエレベータ利用者に提供することも可能となる。
【００４４】
さらに、エレベータドアの透光部を用いた報知だけではなく、その他、音声による報知手段を設けて両者を組み合わせてエレベータ利用者へ情報を提供することとしても良い。
【００４５】
また、例えば、図８に示すように、透光部だけではなく、エレベータドア１０の下部にスリットを設けることでエレベータ利用者の足下を照らすようにしても良い。これによって、通常は照光手段１３を常時点灯させておくことでエレベータ利用者の足下を照らすようにし、その階床に乗りかごが呼ばれた場合には点滅するように制御することで一層エレベータ利用者へのサービスの向上を図ることができる。
【００４６】
また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００４７】
【図１】本発明の第１の実施の形態に係るエレベータ表示装置の全体構成を示す説明図である。
【図２】エレベータドアを構成する１枚のエレベータドアを図１に示すＡ−Ａ線で切断して示した断面図である。
【図３】エレベータドアに設けられる透光部の一例を示す説明図である。
【図４】エレベータドアに設けられる透光部の一例を示す説明図である。
【図５】本発明の第２の実施の形態に係るエレベータ表示装置の全体構成を示す説明図である。
【図６】エレベータドアを構成する１枚のエレベータドアを図５に示すＢ−Ｂ線で切断して示した断面図である。
【図７】エレベータドアを構成する１枚のエレベータドアを図５に示すＢ−Ｂ線で切断し簡略化して示した断面図である。
【図８】エレベータドアに設けられる透光部の一例を示す説明図である。
【符号の説明】
【００４８】
１  エレベータ表示装置
２  枠
３  幕板
４  呼びボタン
５  ホールランタン
６  制御手段
１０  エレベータドア
１１  透光部
１２  パネル
１３  照光手段
【図１】
2009096584.tif 000003
【図２】
2009096584.tif 000004
【図３】
2009096584.tif 000005
【図４】
2009096584.tif 000006
【図５】
2009096584.tif 000007
【図６】
2009096584.tif 000008
【図７】
2009096584.tif 000009
【図８】
2009096584.tif 000010